(57)【要約】【課題】電源オフ状態において表示させる情報にバリエーションを増大させることができる携帯型表示端末及びプログラム。【解決手段】携帯型表示端末は、電源からの電力供給が断たれたときでも表示を維持する不揮発性表示部を備えている。携帯型表示端末は、不揮発性表示部に表示する情報が記憶されたコンテンツ情報と、そのコンテンツ情報に付加される付加情報とを記憶する情報記憶部を備えている。携帯型表示端末は、電源オン状態から電源オフ状態へ移行する際に、付加情報を不揮発性表示部に表示する。【選択図】図７
2010039931.tif 000002
【特許請求の範囲】
【請求項１】
電源からの電力供給が断たれたときでも表示を維持する不揮発性表示部と、
前記不揮発性表示部を駆動して、前記不揮発性表示部に情報を表示する制御部と、
前記不揮発性表示部に表示する情報が記憶されたコンテンツ情報と、当該コンテンツ情報に付加される付加情報とを記憶する情報記憶部と、を備え、
前記制御部は、電源オン状態から電源オフ状態へ移行する際に、前記付加情報を前記不揮発性表示部に表示することを特徴とする携帯型表示端末。
【請求項２】
前記制御部は、電源オン状態から電源オフ状態へ移行する際に、当該移行直前の電源オン状態において表示していたコンテンツ情報に付加された付加情報を前記不揮発性表示部に表示することを特徴とする請求項１に記載の携帯型表示端末。
【請求項３】
前記制御部は、電源オフ状態において、所定のタイミングで繰り返し電源オフ状態から電源オン状態に一時的に移行して前記不揮発性表示部に表示する前記付加情報を切り替えることを特徴とする請求項１又は２に記載の携帯型表示端末。
【請求項４】
前記制御部は、外部装置と通信可能であり、
前記制御部は、電源オフ状態において、前記外部装置からの要求に応じて、電源オフ状態から電源オン状態に一時的に移行して前記不揮発性表示部に表示する前記付加情報を切り替えることを特徴とする請求項１から３のいずれかに記載の携帯型表示端末。
【請求項５】
ユーザによって操作可能な操作部を備え、
前記制御部は、前記操作部の操作が所定時間ない場合に、電源オン状態から電源オフ状態へ移行することを特徴とする請求項１から４のいずれかに記載の携帯型表示端末。
【請求項６】
請求項１から５のいずれかに記載の携帯型表示端末における前記制御部の機能をコンピュータに実行させるプログラム。
【発明の詳細な説明】
【技術分野】
【０００１】
本発明は、携帯型表示端末及びプログラムに関するものであり、電源からの電力供給が断たれたときでも表示を維持する携帯型表示端末及びプログラムに関するものである。
【背景技術】
【０００２】
従来、電源からの電力供給が断たれたときにおいても表示状態を保持する不揮発性表示部を備えた電子ペーパー等の携帯型表示端末が使用されている（例えば、特許文献１参照）。このような携帯型表示端末では、電源オン状態から電源オフ状態となる直前において不揮発性表示部に表示されている情報をそのまま維持することによって、電源オン状態から電源オフ状態に移行した後においても、表示されていた情報をユーザに対して閲覧可能に表示させることができる。例えば、あるコンテンツ情報を表示させた状態において、電源オン状態から電源オフ状態となった場合には、その表示されているコンテンツ情報をそのまま維持し、表示させ続けることができる。
【０００３】
一方、セキュリティ等の関係で、電源オン状態から電源オフ状態に移行した直前に不揮発性表示部において表示されていた情報を消去し、「電源オフしました」というような文字情報を表示させる白紙表示を行う携帯型表示端末も一般に販売されている。
【特許文献１】特開２００７−１８７９２７号公報
【発明の開示】
【発明が解決しようとする課題】
【０００４】
しかしながら、上述したような携帯型表示端末では、電源オン状態から電源オフ状態へ移行する場合において、その電源オフ状態へ移行する直前に表示されているコンテンツ情報を表示するか、上述した白紙表示を行わせるかであったが、コンテンツ情報や白紙表示以外の情報を表示させることがなく、ユーザの意図しない情報が表示されるなど、電源オフ状態において表示させる情報にバリエーションが少ない。
【０００５】
本発明は、上述したような課題に鑑みてなされたものであり、電源オフ状態において表示させる情報にバリエーションを増大させることができる携帯型表示端末及びプログラムを提供することを目的とする。
【課題を解決するための手段】
【０００６】
以上のような目的を達成するために、本発明は、以下のようなものを提供する。
【０００７】
すなわち、請求項１記載の本発明では、電源からの電力供給が断たれたときでも表示を維持する不揮発性表示部と、前記不揮発性表示部を駆動して、前記不揮発性表示部に情報を表示する制御部と、前記不揮発性表示部に表示する情報が記憶されたコンテンツ情報と、当該コンテンツ情報に付加される付加情報とを記憶する情報記憶部と、を備え、前記制御部は、電源オン状態から電源オフ状態へ移行する際に、前記付加情報を前記不揮発性表示部に表示することを特徴とするものである。
【０００８】
また、請求項２記載の本発明では、請求項１に記載の発明において、前記制御部は、電源オン状態から電源オフ状態へ移行する際に、当該移行直前の電源オン状態において表示していたコンテンツ情報に付加された付加情報を前記不揮発性表示部に表示することを特徴とするものである。
【０００９】
また、請求項３記載の本発明では、請求項１又は２に記載の発明において、前記制御部は、電源オフ状態において、所定のタイミングで繰り返し電源オフ状態から電源オン状態に一時的に移行して前記不揮発性表示部に表示する前記付加情報を切り替えることを特徴とするものである。
【００１０】
また、請求項４記載の本発明では、請求項１から３のいずれかに記載の発明において、前記制御部は、外部装置と通信可能であり、前記制御部は、電源オフ状態において、前記外部装置からの要求に応じて、電源オフ状態から電源オン状態に一時的に移行して前記不揮発性表示部に表示する前記付加情報を切り替えることを特徴とするものである。
【００１１】
また、請求項５記載の本発明では、請求項１から４のいずれかに記載の発明において、ユーザによって操作可能な操作部を備え、前記制御部は、前記操作部の操作が所定時間ない場合に、電源オン状態から電源オフ状態へ移行することを特徴とするものである。
【００１２】
また、請求項６記載の本発明では、請求項１から５のいずれかに記載の携帯型表示端末における前記制御部の機能をコンピュータに実行させるものである。
【発明の効果】
【００１３】
請求項１又は６に係る発明では、不揮発性表示部に表示する情報が記憶されたコンテンツ情報と、そのコンテンツ情報に付加される付加情報とを記憶し、電源オン状態から電源オフ状態へ移行する際に、付加情報を不揮発性表示部に表示する。従って、コンテンツ情報以外に、電源オフ状態へ移行する際にコンテンツ情報に付加する付加情報を表示することができ、電源オフ状態において表示させる情報にバリエーションを増大させることができる。また、コンテンツ情報ではなく、付加情報を表示させることによって、ユーザに電源オフ状態であることが認識できる。
【００１４】
また、請求項２に係る発明では、電源オン状態から電源オフ状態へ移行する際に、その移行直前の電源オン状態において表示していたコンテンツ情報に付加された付加情報を不揮発性表示部に表示する。従って、電源オン状態から電源オフ状態へ移行する際に、ユーザが視認していたコンテンツ情報に付加する付加情報を表示させることによって、電源オン状態と電源オフ状態とで関連性を持たせることができる。
【００１５】
また、請求項３に係る発明では、電源オフ状態において、所定のタイミングで繰り返し電源オフ状態から電源オン状態に一時的に移行して不揮発性表示部に表示する付加情報を切り替える。従って、電源オフ状態であった場合であっても、所定のタイミングで繰り返し、付加情報を切り替えることができ、表示させる付加情報にバリエーションを持たせることができ、更には、一時的に電源オン状態にするため、電源オン状態となっている時間を短くすることによって、より一層、省電力を図ることができる。
【００１６】
また、請求項４に係る発明では、電源オフ状態において、通信可能な外部装置からの要求に応じて、電源オフ状態から電源オン状態に一時的に移行して不揮発性表示部に表示する付加情報を切り替える。従って、電源オフ状態であった場合であっても、外部装置からの要求に応じて、付加情報を切り替えることができ、表示させる付加情報にバリエーションを持たせることができ、更には、一時的に電源オン状態にするため、電源オン状態となっている時間を短くすることによって、より一層、省電力を図ることができる。
【００１７】
また、請求項５に係る発明では、ユーザによって操作可能な操作部の操作が所定時間ない場合に、電源オン状態から電源オフ状態へ移行する。従って、電源オン状態から電源オフ状態に移行させる機会を増大させることによって、付加情報を表示させる機会を増大させることができ、更には、電源オン状態となっている時間を短くすることによって、より一層、省電力を図ることができる。
【発明を実施するための最良の形態】
【００１８】
以下、本発明の一の実施の形態について図面を参照して説明する。
【００１９】
尚、本発明は、電源オン状態から電源オフ状態に移行する際における制御に関するものであり、以下の実施形態における携帯型表示端末１に採用する。
【００２０】
まず、図１を参照して、携帯型表示端末１の外観及び主な動作について説明する。図１は、携帯型表示端末１の正面図である。
【００２１】
図１に示すように、携帯型表示端末１は、略直方体形状をしており、その正面には電気泳動表示装置２１が設けられている。また、図１において図示しないが、携帯型表示端末１の右側面には、メモリカード２３（図２参照）を挿入するためのカードスロットが設けられている。携帯型表示端末１では、メモリカード２３に記憶されているコンテンツを電気泳動表示装置２１に表示させることができる。尚、本実施の形態における「コンテンツ」では、文字、静止画像及び動画のうちの少なくとも１つを表示することができる。そして、「コンテンツ」は、文字を表示させるためのデータ，画像を表示させるためのデータ及び動画を表示させるためのデータのうちの少なくとも１つのデータで構成される。これらのデータを「コンテンツ本体」とする。さらに、本実施の形態における「コンテンツ」では、コンテンツに付加される「付加情報」がコンテンツ本体に付随されている。付加情報には、例えば、電源オフ状態において電気泳動表示装置２１に表示させる情報が少なくとも含まれている。また、この付加情報は、電源オン状態においては表示されることなく、電源オフ状態において表示されることがある。
【００２２】
そして、電気泳動表示装置２１の右側には、ユーザによって操作可能な操作部としての操作キー１４が設けられている。決定キー１４５の上下左右にはそれぞれ、上キー１４１，下キー１４２，左キー１４４，右キー１４３が設けられている。例えば、上キー１４１及び下キー１４２は目次画面やメニュー画面においてコンテンツを選択するためのキーであり、左キー１４４及び右キー１４３は表示されているコンテンツのページめくりを行うためのキーである。これらの操作キー１４を電気泳動表示装置２１に表示されている情報に応じて操作することにより、メモリカード２３に記憶されているコンテンツを表示させたり、各種設定の指示がなされたりする。
【００２３】
また、操作キー１４の下部には電源ボタン１５が設けられている。電源ボタン１５は、携帯型表示端末１の電源の入り切りを指示するキーである。
【００２４】
次に、図２を参照して、携帯型表示端末１の電気的構成について説明する。図２は、携帯型表示端末１の電気的構成を示す模式図である。
【００２５】
図２に示すように、携帯型表示端末１には、制御部としてのＣＰＵ１０と、表示コントローラ１１と、充電コントローラ１２と、メモリカードインタフェース（Ｉ／Ｆ）１３と、操作キー１４と、電源ボタン１５と、ＲＯＭ１６と、ＲＡＭ１７と、ＥＥＰＲＯＭ１８と、ＲＴＣ１９と、通信コントローラ２４が設けられている。
【００２６】
ＣＰＵ１０は携帯型表示端末１の制御を司り、特に、電気泳動表示装置２１（不揮発性表示部）を駆動して、情報を表示する。ＲＯＭ１６は、各種情報及び携帯型表示端末１を動作させる表示端末プログラムが記憶されている。ＲＡＭ１７は各種のデータを一時的に記憶するメモリであり、ＥＥＰＲＯＭ１８は、携帯型表示端末１の識別番号等を記憶した不揮発性メモリである。ＲＴＣ（Ｒｅａｌ  Ｔｉｍｅ  Ｃｌｏｃｋ）１９は、時間を計測する。そして、表示コントローラ１１は、電気泳動表示装置２１（図１参照）への情報の表示を制御する。メモリカードＩ／Ｆ１３は、メモリカード２３からの情報の読み取り、書き込みを制御する。そして、通信コントローラ２４は、通信部２５を制御し、サーバ３００などの他の装置と通信可能とする。尚、携帯型表示端末１は、図示外の外部電源から電力供給を受けていない場合には、バッテリ２２の電力で駆動される。バッテリ２２又は外部電源からの電力供給経路は、ＣＰＵ１０に対するものと、ＲＯＭ１６，ＲＡＭ１７，ＥＥＰＲＯＭ１８，表示コントローラ１１といった周辺装置に対するものとの２系統ある。そして、充電コントローラ１２は、バッテリ２２への外部電源からの充電を制御する。
【００２７】
また、この携帯型表示端末１では、電源ボタン１５の押下により電源の入り切りを指示できる。電源が切られている状態で電源ボタン１５が押下されたり、操作キー１４が押下されたりすると、「電源投入」の指示とされ、ＣＰＵ１０及び周辺機器への電力供給が行われ、携帯型表示端末１は稼働状態となる。一方、電源が入っている状態で電源ボタン１５が押下されると、「電源切断」の指示とされ、電源を切るための処理が行われて、ＣＰＵ１０及び周辺機器への電力供給が断たれる。また、ユーザからの操作が所定時間（電源オフ設定時間）行われなかった場合にも、携帯型表示端末１は使用されていない状態であるとして、電源を切るための処理が行われて、ＣＰＵ１０及び周辺機器への電力供給が断たれる。
【００２８】
尚、本実施形態における電源オフ状態とは、充電不足やバッテリ２２自体の未装填等が原因で、バッテリ２２からの電源が携帯型表示端末１に供給不可能な状態や、バッテリ２２からの電源が携帯型表示端末１に供給可能な状態であっても、電源ボタン１５の押下、所定時間の未操作等の特定の操作により、電気泳動表示装置２１、ＣＰＵ１０、周辺装置（ＲＡＭ１７，表示コントローラ１１などの各コントローラ等）などの少なくともいずれかへの電源を供給できない状態である。具体的には、電源オフ状態とは、下記の（ａ）から（ｅ）いずれか、もしくは複数の状態である。（ａ）ユーザが電源ボタン押下等の特定の操作により、明示的に電源オフした状態（指定時間経過したら、電源オフ設定による電源オフ操作も含む）。（ｂ）表示部への電力供給を停止している状態。（ｃ）周辺装置(ＲＡＭ、各コントローラ等）への電力供給を停止している状態。（ｄ）ＣＰＵへの電力供給を停止している状態。（ｅ）電源供給を停止し、システム全体が停止している状態（バッテリを抜いた完全電力供給停止状態でもよい）。
【００２９】
電気泳動表示装置２１は、不揮発性の不揮発性表示部であり、電気泳動表示装置２１への電力供給が断たれても表示状態を保持することができる。つまり、この電気泳動表示装置２１は、電源からの電力供給が断たれたときでも表示を維持する。このため、電源オフ状態であっても維持（保持）された情報を視認可能となり、省電力を図ることもできる。
【００３０】
また、この携帯型表示端末１は、外部端末２００とメモリカード２３を介してデータの読み書きが可能である。この外部端末２００は、携帯型表示端末１に対して文書などのコンテンツ本体や、そのコンテンツに関連する情報などを供給することとなる。
【００３１】
外部端末２００には、制御部としてのＣＰＵ２１０と、表示コントローラ２１１と、メモリカードインタフェース（Ｉ／Ｆ）２１３と、操作部２１４と、ＲＯＭ２１６と、ＲＡＭ２１７と、ハードディスクドライブ（ＨＤＤ）２１８とが設けられている。
【００３２】
ＣＰＵ２１０は外部端末２００の制御を司る。ＲＯＭ２１６は、各種情報及び外部端末２００を動作させる表示端末プログラムが記憶されている。ＲＡＭ２１７は各種のデータを一時的に記憶するメモリであり、ＨＤＤ２１８は、外部端末２００の各種情報を記憶する不揮発性の記憶媒体である。そして、表示コントローラ２１１は、表示装置２２１への情報の表示を制御する。メモリカードＩ／Ｆ２１３は、メモリカード２３からの情報の読み取り、書き込みを制御する。
【００３３】
この外部端末２００は、メモリカード２３を介して、携帯型表示端末１におけるコンテンツを供給するために用いられるが、特に、コンテンツに対応する付加情報を供給するためにも用いられる。
【００３４】
また、この携帯型表示端末１は、サーバ３００と通信網（図示せず）を介して通信可能である。このサーバ３００は、携帯型表示端末１に対して文書などのコンテンツ本体や、そのコンテンツに関連する情報などを供給することとなる。
【００３５】
サーバ３００には、制御部としてのＣＰＵ３１０と、ＲＯＭ３１６と、ＲＡＭ３１７と、ハードディスクドライブ（ＨＤＤ）３１８と、通信コントローラ３２４と、が設けられている。
【００３６】
ＣＰＵ３１０はサーバ３００の制御を司る。ＲＯＭ３１６は、各種情報及びサーバ３００を動作させるプログラムが記憶されている。ＲＡＭ３１７は各種のデータを一時的に記憶するメモリであり、ＨＤＤ３１８は、サーバ３００の各種情報を記憶する不揮発性の記憶媒体である。そして、通信コントローラ３２４は、通信部３２５を制御し、携帯型表示端末１などの他の装置と通信可能とする。
【００３７】
このサーバ３００は、通信網（図示せず）を介して、携帯型表示端末１におけるコンテンツを供給するために用いられるが、特に、コンテンツに対応する付加情報を供給するためにも用いられる。
【００３８】
ここで、電気泳動表示装置２１の物理的構成の概略について、図３〜図５を参照して説明する。図３は、電気泳動表示装置２１の正面図である。図４は、電気泳動表示装置２１のＩ−Ｉ線（図３）における矢視方向断面図であり、図５は、電気泳動表示装置２１のＩＩ−ＩＩ線（図３）における矢視方向断面図である。
【００３９】
図３〜図５に示すように電気泳動表示装置２１は、その下面部分に設けられる下部基板５０と、その上面部分に設けられる上部基板６０とが対向配置され、下部基板５０と上部基板６０との間に表示部７０を備える。尚、Ｉ−Ｉ線は、携帯型表示端末１の横方向（図１の左右方向）に平行な線を示し、ＩＩ−ＩＩ線は、縦方向（図１の上下方向）に平行な線を示す。尚、図３〜図５では、説明しやすいように、画素数を５×４の２０個としているが、実際には、必要に応じた画素数を設けることができる。
【００４０】
下部基板５０は、表示部７０に電界を発生させる下部電極５２と、下部電極５２の上面側に絶縁材料を塗布等して形成した絶縁膜である下部電極保護膜５１と、下部電極５２の下面側に設けられて携帯型表示端末１を支持する筐体支持部５３とを備える。下部電極保護膜５１は、ポリエチレンテレフタレートやシリカ等の樹脂フィルムやガラスなどの無機材料等の高い絶縁性を発揮可能な材料により形成される。尚、本実施の形態では、下部電極保護膜５１及び筐体支持部５３は、可撓性のあるポリエチレンテレフタレートにより構成されたプラスチック基板（樹脂フィルム）である。また、下部電極５２は、一定の電圧が印加されるように線状の電気導電体が横方向（Ｉ−Ｉ線方向）に平行に配設された、複数の電極を具備する基板である。
【００４１】
下部基板５０の上方向には、下部基板５０に対向して、かつ平行に所定間隔を空けて上部基板６０が設けられる。上部基板６０は、表示部７０に電界を発生させる上部電極６２と、上部電極６２の下面側に絶縁材料を塗布等して形成した絶縁膜である上部電極保護膜６１と、上部電極６２の上面側に設けられて透明な部材により構成されて表示画面として機能する表示層６３とを備える。上部電極保護膜６１はポリイミド，ポリエチレンテレフタレート，ガラスなどの高い透明性を発揮可能な材料により形成される。また、上部電極６２は、一定の電圧が印加されるように線状の電気導電体が縦方向（ＩＩ−ＩＩ線方向）に平行に配設された、複数の電極を具備する基板であり、かつ高い透明性を発揮可能な材料により構成される。本実施の形態では、上部電極保護膜６１はポリエチレンテレフタレートにより構成されたプラスチック基板（樹脂フィルム）である。また、上部電極６２は酸化インジウムすず（ＩＴＯ）により形成された透明電極であり、表示層６３はガラス基板である。つまり、上部基板６０は透明体であるから、利用者が上部基板６０の上方向から表示部７０を視認可能な表示基板として機能する。
【００４２】
次に、表示部７０について説明する。対向して設けられる下部基板５０及び上部基板６０と、スペーサー７１とで形成される間隙が、表示部７０である。スペーサー７１は、下部基板５０及び上部基板６０との間隙に架設され、その間隙を格子状に均等に分割して複数の小区画セルを形成し、下部基板５０及び上部基板６０を支持する。スペーサー７１は、格子状に複数の貫通孔が形成された板状部材として構成された可撓性部材であり、例えばポリイミドやポリエチレンテレフタレートなどの合成樹脂で構成されればよい。
【００４３】
また、表示部７０の内部には、帯電粒子３３ａ，３３ｂ及び分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施の形態では、帯電粒子３３ａはスチレン樹脂と二酸化チタンの混合物で、平均粒子径が５μｍのもの（７ｗｔ％）であって、粒子中の二酸化チタンの量が４０ｗｔ％のものを使用する。また、帯電粒子３３ｂはスチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。また、帯電粒子３３ａと帯電粒子３３ｂとは正あるいは負に相異なるように帯電しており、ここでは帯電粒子３３ａが負に、帯電粒子３３ｂが正に帯電しているものとする。
【００４４】
一方、分散媒３４としては、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。尚、分散媒３４には添加剤としてエタノール（１０ｗｔ％）が加えられている。
【００４５】
また、上部基板６０の上面（下部基板５０と対向しない面）には、正面視、小区画セルが存在しない表示部７０の周縁部を、利用者が視認できないように隠蔽するためのマスク部４０が設けられる。マスク部４０は、上部基板６０の四辺に沿って一定幅で設けられ、表示部７０を利用者が視認できるように貫通孔が設けられたロの字型形状の板状部材であり、ポリエチレンテレフタレートなどの合成樹脂を着色したものを接着したり、表示層６３の表面に印刷したインク層で形成したりすればよい。そして、電気泳動表示装置２１をその上方から見ると、マスク部４０に設けられた貫通孔から、表示部７０を視認することができる構成となっている。
【００４６】
次に、図６（ａ）を参照して、携帯型表示端末１で電源オン状態から電源オフ状態に移行する場合において、電源オフ状態で表示させる情報を決定するための電源オフ時付加情報テーブルについて説明する。図６（ａ）は、携帯型表示端末１における電源オフ時付加情報テーブルを示す説明図である。
【００４７】
電源オフ時付加情報テーブルは、主に、電源オフ状態において表示する付加情報を示すテーブルである。電源オフ時付加情報テーブルは、携帯型表示端末１のＥＥＰＲＯＭ１８やメモリカード２３内に記憶されており、操作キー１４や外部端末２００の操作部２１４の操作に応じて設定可能である。電源オフ時付加情報テーブルは、図６（ａ）に示すように、コンテンツと付加情報とが対応付けられて設定されている。
【００４８】
このように、図６（ａ）に示す電源オフ時付加情報テーブルによって、コンテンツ（コンテンツ情報）と、付加情報とが対応して記憶されている。これらのような電源オフ時付加情報テーブルは、ＥＥＰＲＯＭ１８やメモリカード２３などに記憶されている。このため、ＥＥＰＲＯＭ１８やメモリカード２３は、電気泳動表示装置２１に表示する情報が記憶されたコンテンツ情報と、そのコンテンツ情報に付加される付加情報とを記憶することとなる。つまり、これらＥＥＰＲＯＭ１８や、メモリカード２３は、情報記憶部の一例である。
【００４９】
次に、図７を参照して、電気泳動表示装置２１の表示内容について説明する。図７は、電気泳動表示装置２１にコンテンツが表示されている状態を示す説明図である。
【００５０】
電気泳動表示装置２１では、電源オン状態においては、図７（ａ）に示すようなメールの内容など、各種情報が表示される。この場合においては、電気泳動表示装置２１の表示領域下方には、ページ情報等が表示されている。
【００５１】
そして、このような電源オン状態で、電源ボタン１５の押下操作が行われたときや、操作キー１４の操作なく電源オフ設定時間が経過したときには、電源オン状態から電源オフ状態となるが、この場合において、図７（ｂ）に示すように、設定されている付加情報１（例えば、広告情報１）が表示され、電気泳動表示装置２１の表示領域下方には、「電源オフしました」というメッセージが表示される。また、この付加情報１は、電源オフ状態となる直前に電気泳動表示装置２１に表示されていたコンテンツ情報に対応する情報である。
【００５２】
尚、本実施形態においては、電源オフ状態に移行する直前に表示されていたコンテンツ情報に付加情報が対応付けられていた場合には、オフ電源状態において、その付加情報を表示するが、コンテンツ情報に付加情報が対応付けられていない場合には、図７（ｃ）に示すように、白紙表示が行われることになる。この白紙表示においては、電気泳動表示装置２１の表示領域全般の表示内容が消去され、電気泳動表示装置２１の表示領域中央には、「電源オフしました」というメッセージが表示される。
【００５３】
また、図７（ｂ）や図７（ｃ）に示すような電源オフ状態において、電源ボタン１５の押下操作が行われたときや、電源オフ設定時間が経過した後に別の操作キー１４が操作されたときには、電源オフ状態から電源オン状態となり、図７（ｄ）に示すように、電気泳動表示装置２１の表示領域には、トップページが表示される。
【００５４】
ここで、週間漫画雑誌等をコンテンツ情報として、漫画単行本の広告情報などをコンテンツ情報の付加情報として採用した場合を具体的な一例として挙げる。この場合において、通信網を介してサーバ３００から、ユーザが所望とする週間漫画雑誌をダウンロードした場合に、その週間漫画雑誌に漫画単行本の広告情報が付加されて自動的にダウンロードされる。そして、電源オフ状態に移行する際に、その直前に週間漫画雑誌のコンテンツが表示されていた場合には、電源オフ状態において、週間漫画雑誌に対応する漫画単行本の広告情報が表示されることとなる。
【００５５】
このように、付加情報が広告情報である場合には、広告情報を表示させる機会があるため、例えば、コンテンツ情報を購入する際に、広告情報が付加されている場合には、その購入額を低減させることができる。更には、そのコンテンツ情報に関連した広告情報を付加することによって、関連性を有する広告情報を表示させることができる。
【００５６】
次に、図８から図１１のフローチャートを参照して、携帯型表示端末１等の動作について説明する。図８から図１０は、携帯型表示端末１において実行される処理の動作を示すフローチャートであり、図１１は、外部端末２００において実行される処理の動作を示すフローチャートである。特に、図８に示すメイン処理は、携帯型表示端末１の電源がオンされた際に開始される。つまり、電源ボタン１５が押下される、又は、操作キー１４が押下された際に開始される。
【００５７】
まず、図８に示すように、メイン処理では、ＣＰＵ１０は、端末起動処理が行われる（ステップＳ１１）。ＣＰＵ１０は、詳しくは図９を用いて後述するが、携帯型表示端末１の起動処理を実行することとなる。そして、ＣＰＵ１０は、電気泳動表示装置２１にトップページを表示する（ステップＳ１２）。これによって、ＣＰＵ１０は、図７（ｄ）に示すようにトップページを表示させる制御を行うこととなる。
【００５８】
次に、ＣＰＵ１０は、操作キー１４などの任意キーの押下操作があったか否かを判定する（ステップＳ５１）。ＣＰＵ１０は、任意キーの押下操作があったと判定した場合には（ステップＳ５１：ＹＥＳ）、ステップＳ５５に進み、任意キーの押下操作がなかったと判定した場合には（ステップＳ５１：ＮＯ）、電源オフ設定時間を計測するためにタイマ計測を開始し（ステップＳ５２）、ステップＳ５３に進む。
【００５９】
ステップＳ５３においても、ＣＰＵ１０は、操作キー１４などの任意キーの押下操作があったか否かを判定する。ＣＰＵ１０は、任意キーの押下操作があったと判定した場合には（ステップＳ５３：ＹＥＳ）、ステップＳ５５に進み、任意キーの押下操作がなかったと判定した場合には（ステップＳ５３：ＮＯ）、電源オフ設定時間が経過したか否かを判定する（ステップＳ５４）。ＣＰＵ１０は、電源オフ設定時間が経過したと判定した場合には（ステップＳ５４：ＹＥＳ）、ステップＳ６１に進み、ユーザ電源オフ設定が経過していないと判定した場合には（ステップＳ５４：ＮＯ）、再度、ステップＳ５３に進む。
【００６０】
このように、操作キー１４の操作が所定時間ない場合に、電源オン状態から電源オフ状態へ移行するため、電源オン状態から電源オフ状態に移行させる機会を増大させることによって、付加情報を表示させる機会を増大させることができ、更には、電源オン状態となっている時間を短くすることによって、より一層、省電力を図ることができる。尚、本実施形態においては、この電源オフ設定時間が携帯型表示端末１本体に変更可能に設定されているが、本発明はこれに限らない。
【００６１】
ステップＳ５５において、ＣＰＵ１０は、電源ボタン１５が押下操作されたか否かを判定する。ＣＰＵ１０は、電源ボタン１５が押下操作されたと判定した場合には（ステップＳ５５：ＹＥＳ）、ステップＳ６１に進み、電源ボタン１５が押下操作されていないと判定した場合には（ステップＳ５５：ＮＯ）、その操作に対応する処理を実行し（ステップＳ５７）、再度、ステップＳ５１に進む。
【００６２】
これによって、電源オン状態において、任意キーの操作がなく電源オフ設定時間が経過した場合や、電源ボタン１５の操作があった場合には、ステップＳ６１に進むこととなる。
【００６３】
ステップＳ６１において、ＣＰＵ１０は、表示しているコンテンツ情報に対応する付加情報があるか否かを判定する。そして、ＣＰＵ１０は、コンテンツ情報に対応する付加情報があると判定した場合には（ステップＳ６１：ＹＥＳ）、図７（ｂ）に示すように、ステップＳ６６に進む。そして、ＣＰＵ１０は、表示しているコンテンツ情報に対応する付加情報を電気泳動表示装置２１に表示し（ステップＳ６６）、フッタ（表示領域下方）に「電源オフしました」というメッセージを表示し（ステップＳ６７）、ステップＳ６８に進む。
【００６４】
このように、ＣＰＵ１０は、電源オン状態から電源オフ状態へ移行する際に、その移行直前の電源オン状態において表示していたコンテンツ情報に付加された付加情報を電気泳動表示装置２１に表示することとなる。従って、コンテンツ情報以外に、電源オフ状態へ移行する際にコンテンツ情報に付加する付加情報を表示することができ、電源オフ状態において表示させる情報にバリエーションを増大させることができる。また、コンテンツ情報ではなく、付加情報を表示させることによって、ユーザに電源オフ状態であることが認識できる。また、電源オン状態から電源オフ状態へ移行する際に、ユーザが視認していたコンテンツ情報に付加する付加情報を表示させることによって、電源オン状態と電源オフ状態とで関連性を持たせることができる。
【００６５】
一方、ＣＰＵ１０は、コンテンツ情報に対応する付加情報がないと判定した場合には（ステップＳ６１：ＮＯ）、図７（ｃ）に示すように、白紙表示を行い（ステップＳ６２）、ステップＳ６８に進む。この白紙表示においては、ＣＰＵ１０は、電気泳動表示装置２１に表示されている情報を消し、「電源オフしました」というメッセージを表示することとなる。
【００６６】
そして、ＣＰＵ１０は、端末停止処理が行われる（ステップＳ６８）。ＣＰＵ１０は、詳しくは図１０を用いて後述するが、携帯型表示端末１の停止処理を実行することとなり、携帯型表示端末１は、省電力モードとなる。
【００６７】
図８のステップＳ１１などで呼び出される端末起動処理では、まず、図９に示すように、ＣＰＵ１０への電力供給が開始され（ステップＳ２１）、次いで周辺装置への電力供給が開始される（ステップＳ２２）。そして、周辺装置の初期化処理が行われ（ステップＳ２３）、ＣＰＵ１０においてシステムが起動される（ステップＳ２４）。このシステム起動により、それ以降のような処理が実行される。
【００６８】
図８のステップＳ６８などで呼び出される端末停止処理では、まず、図１０に示すように、ＣＰＵ１０は、周辺装置の電源供給停止を行い（ステップＳ２６）、ＣＰＵ１０の電源供給停止する（ステップＳ２７）。これによって、携帯型表示端末１は、省電力モードとなる。
【００６９】
次に、図１１に示すように、外部端末２００において所定周期で呼び出される電源オフ設定処理では、外部端末におけるＣＰＵ２１０は、最初のコンテンツ情報を読み出す（ステップＳ１０１）。
【００７０】
そして、ＣＰＵ２１０は、そのコンテンツ情報に付加情報があるか否かを判定する（ステップＳ１０２）。この処理において、ＣＰＵ２１０は、操作部２１４の操作に応じて、コンテンツ情報に付加情報を付加する設定が行われたか否かによって、コンテンツ情報に付加情報があるか否かを判定することとなる。ＣＰＵ２１０は、コンテンツ情報に付加情報があると判定した場合には（ステップＳ１０２：ＹＥＳ）、メモリカード２３における電源オフ時付加情報テーブルに登録し（ステップＳ１０３）、ステップＳ１０４に進む。これによって、外部端末２００において、コンテンツ情報にコンテンツ情報を付加することができる。一方、ＣＰＵ２１０は、コンテンツ情報に付加情報がないと判定した場合には（ステップＳ１０２：ＮＯ）、ステップＳ１０３を実行することなく、ステップＳ１０４に進む。
【００７１】
ステップＳ１０４において、ＣＰＵ２１０は、操作部２１４の操作に応じて、全コンテンツ完了したか否かを判定する。ＣＰＵ２１０は、全コンテンツ完了していないと判定した場合には、次のコンテンツ情報を読み出し（ステップＳ１０５）、再度、ステップＳ１０２に進む。これによって、各コンテンツ情報毎に付加情報を付加するか否かが設定可能となる。一方、ＣＰＵ２１０は、全コンテンツ完了したと判定した場合には、電源オフ情報を設定し（ステップＳ１０６）、本処理を終了する。これによって、コンテンツ情報に付加情報を付加するか否かの設定が終了することとなる。そして、ＣＰＵ２１０は、コンテンツ情報と、そのコンテンツ情報に付加する付加情報に関する情報と、を対応付けてメモリカード２３に記憶することとなり、このメモリカード２３を読み取る携帯型表示端末１のＣＰＵ１０は、コンテンツ情報と、付加情報に関する情報とを電気泳動表示装置２１に表示することが可能となる。
【００７２】
以上のようにして、本実施の形態の携帯型表示端末１では、電気泳動表示装置２１に表示する情報が記憶されたコンテンツ情報と、そのコンテンツ情報に付加される付加情報とを記憶し、電源オン状態から電源オフ状態へ移行する際に、付加情報を電気泳動表示装置２１表示する。従って、コンテンツ情報以外に、電源オフ状態へ移行する際にコンテンツ情報に付加する付加情報を表示することができ、電源オフ状態において表示させる情報にバリエーションを増大させることができる。また、コンテンツ情報ではなく、付加情報を表示させることによって、ユーザに電源オフ状態であることが認識できる。
【００７３】
尚、上記実施の形態におけるＣＰＵ１０は、「制御部」に相当し、電気泳動表示装置２１は、「不揮発性表示部」に相当し、操作キー１４は、「操作部」に相当し、ＥＥＰＲＯＭ１８、メモリカード２３は、「情報記憶部」に相当する。
【００７４】
尚、本発明の携帯型表示端末１は、上記した実施の形態に限定されるものではなく、本発明の要旨を逸脱しない範囲内において種々変更を加え得ることは勿論である。
【００７５】
上述した実施形態においては、外部端末２００において、図６（ａ）に示すような電源オフ時付加情報テーブルを更新し、メモリカード２３を介して外部端末２００からコンテンツ情報や付加情報を取得したが、これに限らず、例えば、携帯型表示端末１自体で電源オフ時付加情報テーブルを更新してもよい。また、例えば、通信網を介してサーバ３００からコンテンツ情報や付加情報を取得してもよい。
【００７６】
また、上述した実施形態においては、１つのコンテンツ情報に対して１つの付加情報を付加したが、これに限らず、例えば、複数の付加情報を付加してもよい。また、付加情報が付加されていない場合には、白紙表示を行ったが、これに限らず、例えば、ランダムに他の情報を表示してもよい。
【００７７】
また、上述した実施形態においては、電源オフ状態に移行したら電源オン状態になるまで付加情報の表示を変更させなかったが、これに限らず、例えば、複数の付加情報を順番に表示させてもよい。また、この場合において、付加情報を表示させる時間を設定できるようにしてもよい。また、例えば、最後に操作キー１４等を操作してから電源オフ状態となるまでの時間を、コンテンツ情報や付加情報毎に設定できるようにしてもよい。
【００７８】
このような実施形態について、図６（ｂ）、図１２及び図１３を用いて以下に説明する。尚、本実施形態においては、発明の理解を容易とするために、異なる構成、処理について主に説明をし、同じような構成、処理については説明を省略する。
【００７９】
まず、電源オフ時付加情報テーブルにおいては、図６（ｂ）に示すように、コンテンツ情報に対して、所定の表示順序で複数の付加情報が付加可能である。具体的には、文書Ｄというコンテンツ情報には、情報２、情報４、情報５の順序で対応付けられている。また、この付加情報としては、電源オフ設定時間と、表示間隔と、が対応付けられている。
【００８０】
電源オフ設定時間とは、操作キー１４の操作なしに経過すると電源オフ状態となる時間であり、携帯型表示端末１本体に設定されるものとは別に、付加情報毎に設定可能となっている。尚、この携帯型表示端末１本体に設定されている電源オフ設定時間よりも、付加情報毎に設定されている電源オフ設定時間が優先される。
【００８１】
具体的な一例としては、コンテンツ情報として文書Ｄが表示された場合には、電源オフ状態となる際に表示する情報２に基づいて、例えば時間２が電源オフ設定時間として設定されている。これによって、文書Ｄが表示されてからは、操作キー１４が操作されずに時間２が経過した場合には、電源オフ状態となる。
【００８２】
また、表示間隔とは、一のコンテンツ情報に対して複数の付加情報が設定されている場合に、それら複数の付加情報を設定された順序で表示するが、その表示時間を示している。
【００８３】
具体的な一例としては、コンテンツ情報として文書Ｄが表示された場合には、情報２に基づいて、例えば表示間隔２が表示間隔として設定され、情報４に基づいて、例えば表示間隔４が表示間隔として設定され、情報５に基づいて、例えば表示間隔５が表示間隔として設定されている。これによって、コンテンツ情報として文書Ｄが表示され、電源オフ状態となった場合には、情報２に対応する表示間隔２だけ表示させる。そして、表示間隔２が経過した後には、情報４に対応する表示間隔４だけ表示させる。そして、表示間隔４が経過した後には、情報５に対応する表示間隔５だけ表示させる。そして、表示間隔５が経過した後には、情報２に戻ることとなる。
【００８４】
このような電源オフ時付加情報テーブルは、上述した図１１のステップＳ１０３において設定され、ステップＳ１０６でメモリカード２３に記憶されることとなる。これによって、携帯型表示端末１において、ＣＰＵ１０は、そのメモリカード２３から付加情報を読み取り可能であり、以下のような処理を実行することとなる。
【００８５】
次に、図１２を参照して、メイン処理において、ＣＰＵ１０は、ステップＳ１２が終了した場合には、ステップＳ４１に進む。ステップＳ４１において、ＣＰＵ１０は、表示しているコンテンツ情報に付加情報があるか否かを判定する。
【００８６】
ＣＰＵ１０は、表示しているコンテンツ情報に付加情報があると判定した場合には（ステップＳ４１：ＹＥＳ）、ステップＳ４２に進む。そして、ＣＰＵ１０は、付加情報より電源オフ時間を読み出し、ＲＡＭ１７の所定領域にセットする（ステップＳ４２）。具体的な一例としては、ＣＰＵ１０は、図６（ｂ）に示す文書Ｄを表示している場合には、図６（ｂ）に示す電源オフ時付加情報テーブルを参照し、電源オフ状態になった場合に最初に表示させる情報２における時間２をセットすることとなる。
【００８７】
そして、ＣＰＵ１０は、電源オフ時に表示する付加情報を読み出し、ＲＡＭ１７の所定領域にセットし（ステップＳ４３）、ステップＳ５１に進む。具体的な一例としては、ＣＰＵ１０は、図６（ｂ）に示す文書Ｄを表示している場合には、図６（ｂ）に示す電源オフ時付加情報テーブルを参照し、電源オフ状態になった場合に最初に表示させる情報２をセットすることとなる。
【００８８】
一方、ＣＰＵ１０は、表示しているコンテンツ情報に付加情報がないと判定した場合には、ステップＳ４２、ステップＳ４３を実行することなく、ステップＳ５１に進む。
【００８９】
このように、電源オフ状態となる前に、電源オフ設定時間と、その後に表示させる付加情報とがセットされることとなる。そして、セットされた電源オフ設定時間が上述したステップＳ５４において参照されることとなる。また、セットされた付加情報は、電源オフ状態となり、上述したようなステップＳ６６で参照され、表示されることとなる。
【００９０】
また、ステップＳ６８が終了した場合には、ステップＳ６９に処理を移す。ステップＳ６９においては詳しく図１３を用いて後述するが、ＣＰＵ１０は、電源オフ中処理を実行する。この処理において、ＣＰＵ１０は、表示間隔となった場合に、一時的に、電源オン状態に移行し、付加情報を切り替えて、再度、電源オフ状態に移行することとなる。この処理が終了した場合には、ステップＳ１１に処理を移すこととなる。
【００９１】
図１２のステップＳ６９で呼び出される電源オフ中処理では、まず、図１３に示すように、ＣＰＵ１０は、電源ボタン１５が押下されたか否かを判定する（ステップＳ２０１）。ＣＰＵ１０は、電源ボタン１５が押下されたと判定した場合には（ステップＳ２０１：ＹＥＳ）、電源オフ状態にする前に図６に示すようなテーブルなどの各種情報を更新し、本処理を終了し、図１２のステップＳ１１に処理を移すこととなる。これによって、電源オフ状態において、電源ボタン１５を押下することによって、電源オン状態に移行されることとなる。一方、ＣＰＵ１０は、電源ボタン１５が押下されていないと判定した場合には（ステップＳ２０１：ＮＯ）、ステップＳ２０２に進む。
【００９２】
ステップＳ２０２において、ＣＰＵ１０は、表示時間が経過したか否かを判定する。この処理において、ＣＰＵ１０は、電気泳動表示装置２１に表示している付加情報に対応する表示間隔を読み出し、表示時間が経過したか否かを判定することとなる。ＣＰＵ１０は、表示時間が経過していないと判定した場合には（ステップＳ２０２：ＮＯ）、再度、ステップＳ２０１に処理を移す。一方、ＣＰＵ１０は、表示時間が経過したと判定した場合には（ステップＳ２０２：ＹＥＳ）、ステップＳ２０３に処理を移す。
【００９３】
そして、ステップＳ２０３において、ＣＰＵ１０は、端末起動処理を実行し、携帯型表示端末１を起動させる。そして、ＣＰＵ１０は、図６（ｂ）に示す電源オフ時付加情報テーブルにおける順序の設定より、直前まで表示していた付加情報の次の順番に設定されている付加情報を表示させることとなる。そして、ＣＰＵ１０は、フッタ（表示領域下方）に「電源オフしました」というメッセージを表示する（ステップＳ２０５）。そして、ＣＰＵ１０は、端末停止処理を行い（ステップＳ２０６）、再度、ステップＳ２０１に進む。
【００９４】
これによって、ＣＰＵ１０は、電源オフ状態において、表示している付加情報に対応する表示間隔が経過したタイミングで、電源オフ状態から電源オン状態に一時的に移行する。そして、ＣＰＵ１０は、電気泳動表示装置２１に表示する付加情報を切り替える。そして、ＣＰＵ１０は、電源オン状態から電源オフ状態に移行することとなる。尚、このような処理は、付加情報毎に対応付けられている表示時間が経過したという所定のタイミングで繰り返し実行されることとなる。
【００９５】
従って、電源オフ状態であった場合であっても、電源オフ状態であった場合であっても、所定のタイミングで繰り返し、付加情報を切り替えることができ、表示させる付加情報にバリエーションを持たせることができ、更には、一時的に電源オン状態にするため、電源オン状態となっている時間を短くすることによって、より一層、省電力を図ることができる。
【００９６】
また、通信網を介してサーバ３００などから、コンテンツ情報や付加情報がダウンロードしたタイミングで、電源オン状態に一時的に移行し、付加情報を切り替えるようにしてもよい。また、新規にコンテンツ情報や付加情報をダウンロードするものだけではなく、例えば、コンテンツ情報や付加情報の更新用のダウンロードであってもよい。
【００９７】
このような実施形態について、図１４を用いて以下に説明する。尚、本実施形態においては、発明の理解を容易とするために、異なる構成、処理について主に説明をし、同じような構成、処理については説明を省略する。
【００９８】
携帯型表示端末１において、図１２のステップＳ６９で呼び出される電源オフ中処理では、まず、図１４に示すように、ＣＰＵ１０は、電源ボタン１５が押下されたか否かを判定する（ステップＳ２０１）。ＣＰＵ１０は、電源ボタン１５が押下されたと判定した場合には（ステップＳ２０１：ＹＥＳ）、本処理を終了し、図１２のステップＳ１１に処理を移すこととなる。これによって、電源オフ状態において、電源ボタン１５を押下することによって、電源オン状態に移行されることとなる。一方、ＣＰＵ１０は、電源ボタン１５が押下されていないと判定した場合には（ステップＳ２０１：ＮＯ）、ステップＳ２５１に進む。
【００９９】
ステップＳ２５１において、ＣＰＵ１０は、サーバから起動要求があったか否かを判定する。
【０１００】
一方、サーバ３００において、ＣＰＵ３１０は、更新するコンテンツ情報があるか否かを判定する（ステップＳ３０１）。この更新するコンテンツ情報とは、例えば、コンテンツ情報は更新しなくても付加情報を更新するようなものも含む。
【０１０１】
ＣＰＵ３１０は、更新するコンテンツ情報があると判定した場合には（ステップＳ３０１：ＹＥＳ）、そのコンテンツ情報を送信する端末を決定する。この場合において、ＣＰＵ３１０は、更新する前のコンテンツ情報を送信した履歴を参照し、コンテンツ情報を送信する端末を決定することとなる。そして、ＣＰＵ３１０は、コンテンツ情報を送信する携帯型表示端末１に起動要求を送信する（ステップＳ３０２）。
【０１０２】
一方、ＣＰＵ３１０は、更新するコンテンツ情報がないと判定した場合には（ステップＳ３０１：ＮＯ）、再度、ステップＳ３０１に処理を移す。このように、更新するコンテンツ情報があるか否かが逐次監視されることとなる。
【０１０３】
携帯型表示端末１において、ＣＰＵ１０は、サーバ３００から起動要求を受信し（ステップＳ２５２）、起動要求を受信したと判定した場合には（ステップＳ２５１：ＹＥＳ）、端末起動処理を実行し（ステップＳ２５３）、起動完了情報をサーバ３００に送信する（ステップＳ２５４）。尚、このような起動要求は、電源オン時においても受信され、以下と同じような処理を行うこととなる。
【０１０４】
サーバ３００において、ＣＰＵ３１０は、携帯型表示端末１から起動完了情報を受信した場合には（ステップＳ３０３）、更新するコンテンツ情報（付加情報を含む）を送信する（ステップＳ３０４）。この場合においては、例えば、コンテンツ情報自体は更新しなくても、付加情報が更新されるものであってもよく、もちろん、コンテンツ情報自体も更新されてもよい。この処理が終了した場合には、後述する受信完了の受信を待ち（ステップＳ３０５）、再度、ステップＳ３０１に進む。
【０１０５】
携帯型表示端末１において、ＣＰＵ１０は、サーバ３００から更新するコンテンツ情報を受信し（ステップＳ２５５）、受信完了情報をサーバ３００に送信する（ステップＳ２５６）。
【０１０６】
そして、ＣＰＵ１０は、更新した電源オフ時表示情報を表示する。この処理において、ＣＰＵ１０は、図６（ｂ）に示す電源オフ時付加情報テーブルを参照し、受信した更新情報を更新する。そして、ＣＰＵ１０は、更新前のコンテンツ情報や付加情報を、更新後のコンテンツ情報や付加情報として表示を切り替えることとなる。
【０１０７】
そして、ＣＰＵ１０は、フッタ（表示領域下方）に「電源オフしました」というメッセージを表示する（ステップＳ２５８）。そして、ＣＰＵ１０は、端末停止処理を行い（ステップＳ２５９）、再度、ステップＳ２０１に進む。
【０１０８】
これによって、ＣＰＵ１０は、電源オフ状態において、サーバ３００（外部装置）からの要求に応じて、電源オフ状態から電源オン状態に一時的に移行する。そして、ＣＰＵ１０は、電気泳動表示装置２１に表示する付加情報を更新する（切り替える）。そして、ＣＰＵ１０は、電源オン状態から電源オフ状態に移行することとなる。尚、このような処理は、付加情報毎に対応付けられている表示時間が経過したという所定のタイミングで繰り返し実行されることとなる。
【０１０９】
従って、電源オフ状態であった場合であっても、外部装置からの要求に応じて、付加情報を切り替えることができ、表示させる付加情報にバリエーションを持たせることができ、更には、一時的に電源オン状態にするため、電源オン状態となっている時間を短くすることによって、より一層、省電力を図ることができる。
【０１１０】
尚、上述した実施形態においては、メモリカード２３にコンテンツ情報を格納させたが、これに限らず、例えば、ＵＳＢなどを介して、携帯型表示端末１におけるＥＥＰＲＯＭ１８にコンテンツ情報を格納させてもよい。
【図面の簡単な説明】
【０１１１】
【図１】携帯型表示端末１の正面図である。
【図２】携帯型表示端末１及び外部端末２００の電気的構成を示す模式図である。
【図３】電気泳動表示装置２１の正面図である。
【図４】電気泳動表示装置２１のＩ−Ｉ線（図２）における矢視方向断面図である。
【図５】電気泳動表示装置２１のＩＩ−ＩＩ線（図２）における矢視方向断面図である。
【図６】携帯型表示端末１における電源オフ時付加情報テーブルを示す説明図である。
【図７】電気泳動表示装置２１にコンテンツが表示されている状態を示す説明図である。
【図８】携帯型表示端末１において実行される処理の動作を示すフローチャートである。
【図９】携帯型表示端末１において実行される処理の動作を示すフローチャートである。
【図１０】携帯型表示端末１において実行される処理の動作を示すフローチャートである。
【図１１】外部端末２００において実行される処理の動作を示すフローチャートである。
【図１２】携帯型表示端末１において実行される処理の動作を示すフローチャートである。
【図１３】携帯型表示端末１において実行される処理の動作を示すフローチャートである。
【図１４】携帯型表示端末１とサーバ３００において実行される処理の動作を示すフローチャートである。
【符号の説明】
【０１１２】
１    携帯型表示端末
１０  ＣＰＵ
１４  操作キー
１５  電源ボタン
１６  ＲＯＭ
１８  ＥＥＰＲＯＭ
１９  ＲＴＣ
２１  電気泳動表示装置
２２  バッテリ
２３  メモリカード
【図１】
2010039931.tif 000003
【図２】
2010039931.tif 000004
【図３】
2010039931.tif 000005
【図４】
2010039931.tif 000006
【図５】
2010039931.tif 000007
【図６】
2010039931.tif 000008
【図７】
2010039931.tif 000009
【図８】
2010039931.tif 000010
【図９】
2010039931.tif 000011
【図１０】
2010039931.tif 000012
【図１１】
2010039931.tif 000013
【図１２】
2010039931.tif 000014
【図１３】
2010039931.tif 000015
【図１４】
2010039931.tif 000016